(57)【要約】【課題】印刷設定を確認するためのプレビュー画像が利用者にとって利用しやすい画像形成装置を提供する。【解決手段】画像形成装置は、表面及び裏面を有し、表面及び裏面の双方に画像を表示可能な表示装置と、原稿画像を形成する画像データで、片面印刷又は両面印刷が指定された画像データを記憶する画像データ記憶機能と、原稿画像のプレビュー表示の指示を受けたことに応答して、画像データ記憶手段に記憶された画像データからプレビュー画像を作成し、当該画像データに対して片面印刷及び両面印刷のいずれが指定されているかにしたがって、表示装置の表面のみ、又は表示装置の表面及び裏面に、プレビュー画像を表示するプレビュー画像表示機能（ステップＳ８０４、Ｓ８０６、Ｓ８１０、Ｓ８３０）とを含む。【選択図】        図８
2010074251.tif 000002
【特許請求の範囲】
【請求項１】
表面及び裏面を有し、表面及び裏面の双方に画像を表示可能な表示手段と、
原稿画像を形成するための画像データであって、片面印刷又は両面印刷が指定された画像データを記憶するための画像データ記憶手段と、
前記原稿画像のプレビュー表示の指示を受けたことに応答して、前記画像データ記憶手段に記憶された画像データからプレビュー画像を作成し、当該画像データに対して片面印刷及び両面印刷のいずれが指定されているかにしたがって、前記表示手段の前記表面のみ、又は前記表示手段の前記表面及び裏面に、プレビュー画像を表示するためのプレビュー画像表示手段とを含む、画像形成装置。
【請求項２】
前記プレビュー画像表示手段は、
前記画像データに片面印刷が指定されていることに応答して、前記表示手段の前記表面に前記プレビュー画像を表示するための片面表示手段と、
前記画像データに両面印刷が指定されていることに応答して、前記表示手段の前記表面及び前記裏面に前記原稿画像の連続する２ページ分の前記プレビュー画像をページ順序にしたがって表示するための両面表示手段とを含む、請求項１に記載の画像形成装置。
【請求項３】
前記画像記憶手段に記憶された画像データが印刷される記録紙に対して所定の後処理を行なうときの、当該後処理の結果を示す画像を前記プレビュー画像に合成するための画像合成手段をさらに含む、請求項１又は請求項２に記載の画像形成装置。
【請求項４】
前記表示手段は電子ペーパ又は有機ＥＬ（Ｅｌｅｃｔｒｏ  Ｌｕｍｉｎｅｓｃｅｎｃｅ）により構成される、請求項１〜請求項３のいずれかに記載の画像形成装置。
【請求項５】
前記プレビュー画像表示手段は、前記表示手段の前記表面に、前記原稿画像の印刷時に記録紙の表面に印刷される画像を表示することを特徴とする、請求項１〜請求項４のいずれかに記載の画像形成装置。
【請求項６】
前記プレビュー画像表示手段は、前記表示手段の前記裏面に、前記原稿画像の両面印刷時に記録紙の裏面に印刷される画像を表示することを特徴とする、請求項１〜請求項５のいずれかに記載の画像形成装置。
【請求項７】
前記プレビュー画像表示手段は、前記画像データにより形成される原稿画像が前記表示手段の表示サイズより大きいときには、当該原稿画像を縮小して前記表示手段上に表示する、請求項１〜請求項６のいずれかに記載の画像形成装置。
【請求項８】
前記画像データ記憶手段及び前記プレビュー画像表示手段を格納する筐体をさらに含み、
前記表示手段は、前記筐体に着脱可能に取り付けられた、表面及び裏面の双方に画像を表示可能な電子ペーパによって構成されている、請求項１〜請求項３のいずれかに記載の画像形成装置。
【請求項９】
前記電子ペーパは、前記筐体に対し着脱可能である、請求項８に記載の画像形成装置。
【請求項１０】
前記電子ペーパは略長方形の外枠を有し、当該外枠の一辺の周りに回動可能に前記筐体に取り付けられる、請求項８又は請求項９に記載の画像形成装置。
【発明の詳細な説明】
【技術分野】
【０００１】
本発明は、画像を読取り所定の処理を行なう画像形成装置に関し、特に、印刷プレビュー機能を備えた画像形成装置に関する。
【背景技術】
【０００２】
画像形成装置における印刷設定には、様々なものがある。例えば、両面印刷においても、片面→両面、両面→両面、両面→片面、片面→片面のように、原稿を読取り記録紙への画像形成する設定は何種類もある。
【０００３】
それに加え、画像形成装置に関する周辺装置には、画像形成された記録紙に後処理を施すための後処理装置（フィニッシャー）がある。後処理の例としては、原稿を１部ずつ綴じるステープル機能、及びファイリング用の穴をあけるパンチング機能などがある。
【０００４】
このように、原稿の印刷には様々な設定が必要である。ここで問題となるのは印刷設定の間違いによるミスコピーの発生である。ミスコピーの発生により、用紙及びトナーなどが無駄に消費される。特に、部数が多い印刷でミスが生じた時には、多くの印材が無駄となってしまう。そのために、印刷前の印刷結果のチェックは重要な役割を担っている。
【０００５】
特許文献１には、操作パネル上に、印刷設定にしたがって形成され、後処理された後のプレビュー画像を表示する技術が開示されている。
【０００６】
特許文献２には、操作パネル上に表示される印刷画像のプレビュー画像に、設定された後処理が施される位置を重ねて表示し、ユーザの操作などに応じて印刷済みの画像に影響を与えない位置に後処理の位置を調整する技術が開示されている。
【特許文献１】特開２００３−８７５６０号公報
【特許文献２】特開２００３−５４７１号公報
【発明の開示】
【発明が解決しようとする課題】
【０００７】
画像データの最終確認を行なうプレビュー表示は、操作パネル上に表示されることが多い。両面印刷などの表裏がある印刷物に関しても１ページずつ表示されるか表裏のページが並べて表示され、表裏の認識がしづらいものであった。
【０００８】
特に、後処理が施される両面印刷においては、ステープルの位置及びパンチングの綴じ穴の位置が表と裏とでは異なり、イメージし難いものである。プレビュー表示から後処理後の状態が理解しづらいことにより、後処理の設定における設定ミスにつながる危険性がある。
【０００９】
特許文献１及び２の技術は、ともに表示パネル上にプレビュー画像を表示するものであるため、両面印刷における表面、裏面の認識がしづらいという問題点がある。
【００１０】
それゆえに本発明の目的は、印刷設定を確認するためのプレビュー画像が利用者にとって利用しやすい画像形成装置を提供することである。
【課題を解決するための手段】
【００１１】
本発明の第１の局面に係る画像形成装置は、表面及び裏面を有し、表面及び裏面の双方に画像を表示可能な表示手段と、原稿画像を形成するための画像データであって、片面印刷又は両面印刷が指定された画像データを記憶するための画像データ記憶手段と、原稿画像のプレビュー表示の指示を受けたことに応答して、画像データ記憶手段に記憶された画像データからプレビュー画像を作成し、当該画像データに対して片面印刷及び両面印刷のいずれが指定されているかにしたがって、表示手段の表面のみ、又は表示手段の表面及び裏面に、プレビュー画像を表示するためのプレビュー画像表示手段とを含む。
【００１２】
印刷前のプレビュー画像の確認において、両面印刷のような印刷物は、１ページずつ並べて表示するプレビュー表示方法では、利用者にとって表裏の認識がし難く確認しにくいものであった。
【００１３】
この画像形成装置は、表面及び裏面の双方に画像を表示可能な表示手段を備えている。利用者はこの表示手段を用いてプレビュー確認することで、実際に記録紙の表裏を認識しながら画像データを確認することができる。その結果、印刷設定を確認するためのプレビュー画像が利用者にとって利用しやすい画像形成装置を提供することができる。
【００１４】
好ましくは、プレビュー画像表示手段は、画像データに片面印刷が指定されていることに応答して、表示手段の表面にプレビュー画像を表示するための片面表示手段と、画像データに両面印刷が指定されていることに応答して、表示手段の表面及び裏面に原稿画像の連続する２ページ分のプレビュー画像をページ順序にしたがって表示するための両面表示手段とを含む。
【００１５】
画像データに両面印刷が指定されている時は、表示手段の表面及び裏面に原稿画像の連続する２ページ分をページ順にしたがって表示を行なう。その結果、ページを捲るようにしてプレビュー画像が確認でき、表裏の対応した印刷出力を事前に確認することができる。また、画像データに片面印刷が指定されている時は、表示手段の表面のみにプレビュー画像を表示する。裏面に不必要なプレビュー表示を行なわないことで、利用者の混乱を防ぐことができる。その結果、利用者にとって確認しやすいプレビュー表示が実現できる。
【００１６】
より好ましくは、画像形成装置は、画像記憶手段に記憶された画像データが印刷される記録紙に対して所定の後処理を行なうときの、当該後処理の結果を示す画像をプレビュー画像に合成するための画像合成手段をさらに含む。
【００１７】
ステープル処理、パンチング処理などの後処理を行なう時、プレビュー画像において後処理が施される位置に後処理結果の画像データを合成することができる。その結果、プレビュー画像において、後処理によって原稿部分に影響を及ぼさないかなどを事前に確認することができる。
【００１８】
好ましくは、表示手段は電子ペーパ又は有機ＥＬ（Ｅｌｅｃｔｒｏ  Ｌｕｍｉｎｅｓｃｅｎｃｅ）により構成される。
【００１９】
電子ペーパ、又は有機ＥＬを用いることで、薄くてやわらかく、折り曲げ可能な表示手段が実現できる。表示手段は実際に手に取り確認する機会が多いので、電子ペーパ又は有機ＥＬを用いることで利用者にとって扱いやすい表示手段が実現できる。
【００２０】
また、電子ペーパ又は有機ＥＬを用いることで、一般的な印刷サイズであるＡ４判を用いることができる。原稿画像がＡ４判であった場合は、表示されるプレビュー画像のサイズと一致し、記録紙の印刷される画像と同じ倍率でプレビュー確認ができる。その結果、原稿を実際に印刷される大きさで確認することができ、縮小されたプレビュー画像では確認できなかった、細かなところまで確認することができる。
【００２１】
好ましくは、プレビュー画像表示手段は、表示手段の表面に、原稿画像の印刷時に記録紙の表面に印刷される画像を表示することを特徴とする。
【００２２】
より好ましくは、プレビュー画像表示手段は、表示手段の裏面に、原稿画像の両面印刷時に記録紙の裏面に印刷される画像を表示することを特徴とする。
【００２３】
記録紙の表面、裏面に印刷される画像をそれぞれ表示手段の表面、裏面に表示することで、１枚の記録紙の表、裏を意識したプレビュー画像の確認ができ、より細かな点までプレビュー画像を確認することができる。特に、後処理が施される設定においては、パンチ穴及びステープルの位置は表面、裏面で異なるため、後処理の設定間違いを防止する点においても効果がある。
【００２４】
好ましくは、プレビュー画像表示手段は、画像データにより形成される原稿画像が表示手段の表示サイズより大きいときには、当該原稿画像を縮小して表示手段上に表示する。
【００２５】
表示手段より大きい原稿画像を読取った場合は、表示手段に収まるサイズに縮小してプレビュー画像を作成する。その結果、原稿画像のサイズを問わず原稿読取が可能となり、利用者は原稿サイズを気にすることなく表示手段でのプレビュー確認を行なうことができる。
【００２６】
好ましくは、画像形成装置は、画像データ記憶手段及びプレビュー画像表示手段を格納する筐体をさらに含む。表示手段は、筐体に着脱可能に取り付けられた、表面及び裏面の双方に画像を表示可能な電子ペーパによって構成されている。
【００２７】
より好ましくは、電子ペーパは、筐体に対し着脱可能である。
【００２８】
電子ペーパの特徴として、画像の表示を行なった後に通電を遮断した場合でも表示内容を保持する特性がある。筐体に接続しプレビュー画像を表示した後、電子ペーパはその特性を生かして筐体から外すことが可能である。利用者は筐体から外した電子ペーパを実際に手にとって確認することができ、より一層プレビュー内容を確認しやすくなる。
【００２９】
さらに好ましくは、電子ペーパは略長方形の外枠を有し、当該外枠の一辺の周りに回動可能に筐体に取り付けられる。
【００３０】
電子ペーパが外枠の一辺の周りに回動可能な形で筐体に取り付けられることで、ページをめくるような感覚で表面、裏面の両方のプレビュー表示を確認することができる。また、筐体に接続されていることから、利用者の操作にしたがってページ送り及びページ戻しが実現でき、より印刷物を確認しやすい構成となる。
【発明の効果】
【００３１】
以上のように、表面及び裏面の双方に画像を表示可能な表示手段を用いることで、利用者にとって１ページずつ並べて表示するプレビュー表示方法では認識しづらかった、表面、裏面を意識する両面印刷のプレビュー表示を分かりやすく行なうことができる。
【００３２】
その結果、印刷設定を確認するためのプレビュー画像が利用者にとって利用しやすい画像形成装置を提供することができる。
【発明を実施するための最良の形態】
【００３３】
以下の説明及び図面においては、同一部品には同じ参照符号および名称を付してある。それらの機能も同様である。したがって、それらについての詳細な説明は繰返さない。
【００３４】
−構成−
図１は本実施の形態に係るデジタル複合機２２０を用いて構築される、画像処理システム２１０の全体構成を示す模式図である。
【００３５】
図１を参照して、画像処理システム２１０は、デジタル複合機２２０を含む。デジタル複合機２２０はローカルネットワーク２３０、及び公衆電話回線網２３４に接続されている。ローカルネットワーク２３０には外部コンピュータ２２２が接続される。公衆電話回線網２３４には外部のファクシミリ装置２２８が接続されている。ローカルネットワーク２３０はさらに、ゲートウェイ（図示せず）及びインターネット２３２を介して外部コンピュータ２２４、及びインターネットファクシミリ装置２２６（以下ファクシミリ装置２２６という）が接続されている。
【００３６】
図２はデジタル複合機２２０の内部構成を表すブロック図である。
【００３７】
図２を参照して、デジタル複合機２２０は、ＣＰＵからなるデジタル複合機全体の制御を行なうメイン制御部２５０と、メイン制御部２５０に接続されたバス２８２と、制御用プログラム及び通信の相手先情報を記憶する制御用メモリ２５２と、ＲＡＭ（Ｒａｎｄｏｍ  Ａｃｃｅｓｓ  Ｍｅｍｏｒｙ）からなる制御用バッファ２５４と、画像データを読取るためのスキャナ装置からなる読取部２６２と、読取部２６２で読取られた画像データ及びＬＡＮ、ＦＡＸなどで受信したデータを記憶するための画像記憶部２５６と、読取られた画像データを所定のファイルフォーマット形式に変換するためのフォーマット変換部２６０と、記録紙上にプリントアウトするための記録部２６４と、利用者からの設定入力、及び画像データの送信先入力など様々な入力を受付けるための操作パネル２８０と、記録紙上にプリントアウトされた原稿にステープル処理及びパンチング処理を施すための後処理装置２８４と、画像データのプレビュー画像を表示するための電子ペーパ２８６とを含む。
【００３８】
本実施の形態では、電子ペーパ２８６は、表裏の両面に画像データのプレビュー表示をすることが可能である。すなわち電子ペーパ２８６は、互いに背中合わせに組合わされた２つの電子ペーパからなる。本実施の形態においては、両面印刷出力が指示された時のみ電子ペーパの両面にプレビュー表示するものとし、片面印刷出力のときには表面のみにプレビュー表示を行なうものとする。
【００３９】
デジタル複合機２２０はさらに、画像記憶部２５６に記憶された画像データをＵＳＢ（Ｕｎｉｖｅｒｓａｌ  Ｓｅｒｉａｌ  Ｂｕｓ）記憶媒体に出力するためのＵＳＢインターフェイス２７８と、読取った原稿を符号化、又は受信した信号を復号化するための符号／復号化制御部２６８と、ＬＡＮ（Ｌｏｃａｌ  Ａｒｅａ  Ｎｅｔｗｏｒｋ）と接続され、インターネット経由による電子メールデータの通信及びインターネットＦＡＸの通信を行なうためのＬＡＮ制御部２７０と、電話回線網と接続されファクシミリ通信を行なうためのモデム２７２と、アナログの公衆電話回線網と接続され回線の制御を行なうための網制御部２７４と、文書と文書の間に挟まれ文書の区切りを示すセパレータ用紙を識別するための識別記号処理部２７６とを含む。制御用メモリ２５２と、制御用バッファ２５４と、読取部２６２と、画像記憶部２５６と、フォーマット変換部２６０と、記録部２６４と、操作パネル２８０と、ＵＳＢインターフェイス２７８と、符号／復号化制御部２６８と、ＬＡＮ制御部２７０と、モデム２７２と、網制御部２７４と、識別記号処理部２７６と、後処理装置２８４及び電子ペーパ２８６とはバス２８２を介して接続されており、全体の制御はメイン制御部２５０において行なわれる。
【００４０】
図３はデジタル複合機２２０の上部に設置される読取部２６２の斜視図である。
【００４１】
図３を参照して、読取部２６２は、原稿読取台２８８と、原稿読取台２８８に置かれた原稿を押圧し、外部から入射する光を遮るための原稿カバー２９０とを含む。原稿読取台２８８と原稿カバー２９０とはヒンジ（図示せず）で開閉可能に接続されている。
【００４２】
また、原稿カバー２９０上には電子ペーパ２８６が設置される。電子ペーパ２８６はデジタル複合機２２０から着脱可能であり、通常はデジタル複合機２２０に接続されている状態である。電子ペーパ２８６は、正面から見て左側の辺でデジタル複合機２２０の上面に取付けられており、この辺を中心にして回動可能である。
【００４３】
なお、本実施の形態では、電子ペーパ２８６の表裏については、デジタル複合機２２０に接続されて閉じている時に、可視状態となっている面を表面、その状態から左に捲った時に表示される面を裏面と定義する。
【００４４】
図４は本実施の一形態に係るデジタル複合機２２０の、記録部２６４と後処理装置２８４とで構成される画像形成装置５０の構造を示す断面図である。画像形成装置５０では、後処理装置２８４は内蔵型後処理装置（インナーフィニッシャー）を用いている。デジタル複合機２２０の読取部２６２は画像形成装置５０の上部に配置される（図示せず）。
【００４５】
図４を参照して、画像形成装置５０は、記録部２６４と、後処理装置２８４と、外付け
で設置される２つの給紙装置５６及び５８とを含む。
【００４６】
記録部２６４は、記録紙に記録する画像を形成するための画像形成部６０と、記録紙を収容するための用紙収容部６２と、用紙収容部６２から用紙を搬送させるための用紙搬送部６４とを含む。
【００４７】
画像形成部６０は、画像情報に基づいた画像光を照射するための露光ユニット７０と、カラー画像をシアン、マゼンタ、イエロー及びブラックの４色に色分解して得られる各色相の画像情報に基づいて画像形成を行なうための画像形成ステーション７４Ａ〜７４Ｄと、画像形成ステーション７４Ａ〜７４Ｄから各色のトナー像が転写される中間転写ベルト７２と、用紙に対して画像形成を行なうために所定のニップ圧で中間転写ベルト７２と圧接する二次転写ローラ７８と、中間転写ベルト７２に残留したトナーを回収するためのクリーニングユニット７６とを含む。
【００４８】
画像形成ステーション７４Ａ〜７４Ｄについて、ブラックの画像形成ステーション７４Ａを例にして説明すると、画像形成ステーション７４Ａは、露光ユニット７０からブラックの画像情報に基づいた画像光が照射され表面に静電潜像を形成し、トナーを供給されることによってトナー像を現像する感光体ドラム８０Ａと、静電潜像が形成された感光体ドラム８０Ａの表面にブラックのトナーを供給するための現像ユニット８２Ａと、感光体ドラム８０Ａの表面を所定の電位で均一に帯電させるための帯電ローラ８４と、感光体ドラムに形成されたトナー像を中間転写ベルト７２の外周面に転写させるためにトナーの帯電極性と逆極性の電圧が印加される一次転写ローラ８６と、感光体ドラム８０Ａ表面に残留したトナーを回収するためのクリーニングユニット８８とを含む。
【００４９】
感光体ドラム８０Ａは帯電ローラ８４によって所定の電位に帯電されている。そこに、露光ユニット７０からブラックの画像情報に基づいた画像光が照射されることによって感光体ドラム８０Ａの表面に静電潜像が形成される。現像ユニット８２Ａからは感光体ドラムに対してブラックのトナーが供給され、感光体ドラム８０Ａ上にはブラックのトナー像が形成される。形成されたトナー像は、中間転写ベルト７２の外周面に一次転写ローラ８６により転写され、中間転写ベルト７２の外周面に対するトナー像の転写が画像形成の準備に相当する。
【００５０】
シアン、マゼンタ及びイエローの各色相の画像形成ステーション７４Ｂ、７４Ｃ、７４Ｄは画像形成ステーション７４Ａと同様に構成され、それぞれ、感光体ドラム８０Ｂ、８０Ｃ、８０Ｄと、現像ユニット８２Ｂ、８２Ｃ、８２Ｄとを含む。
【００５１】
画像形成ステーション７４Ｂ、７４Ｃ、７４Ｄにはそれぞれ、シアン、マゼンタ及びイエローの各色相の画像情報によって変調された画像光が露光ユニット７０から照射される。露光ユニット７０から照射される光によって各画像形成ステーション内の感光体ドラム８０Ｂ、８０Ｃ、８０Ｄはそれぞれ色相別に静電潜像が形成される。現像ユニット８２Ｂ、８２Ｃ、８２Ｄはそれぞれ感光体ドラム８０Ｂ、８０Ｃ、８０Ｄにシアン、マゼンタ及びイエローのトナーを供給し、感光体ドラム８０Ｂ、８０Ｃ、８０Ｄには、それぞれシアン、マゼンタ及びイエローの各色相のトナー像が形成される。
【００５２】
フルカラーの画像形成時には、画像形成ステーション７４Ａ、７４Ｂ、７４Ｃ、７４Ｄの全てにおいて静電潜像の形成及びトナー像の転写が行なわれる。中間転写ベルト７２の外周面にはイエロー、マゼンタ、シアン、及びブラックのトナー像が順次重ね合わされて転写される。
【００５３】
イエロー、マゼンタ、シアン、及びブラックの色相の一部のみの画像情報が入力された場合には、画像形成ステーション７４Ａ、７４Ｂ、７４Ｃ、７４Ｄのうち入力された画像情報の色相に対応するもののみにおいて静電潜像の形成及びトナー像の形成が行なわれ、中間転写ベルト７２の外周面には形成されたトナー像のみが転写される。
【００５４】
用紙収容部６２は、単一種類の複数枚の用紙が収納される給紙カセット９０Ａ、９０Ｂ、及び手差しトレイ９２を含む。記録部２６４は外部に給紙装置５６、５８を備えており、記録部２６４の下方に配置された給紙装置５６は、給紙カセット９０Ｃ、９０Ｄを含む。記録部２６４の側面に配置された給紙装置５８は、単一種類の複数枚の用紙を大量に収納できる用紙トレイ９１を含む。
【００５５】
用紙搬送部６４は、給紙カセット９０Ａ、９０Ｂから、中間転写ベルト７２からのトナー像の転写を受ける画像形成位置９８を経由して、記録部２６４の上面に設置された後処理装置２８４に至るまでの第１用紙搬送路１００を形成している。
【００５６】
用紙搬送部６４は、給紙カセット９０Ａ、９０Ｂからそれぞれ用紙を引上げるためのピックアップローラ９４Ａ、９４Ｂと、給紙カセット９０Ａ、９０Ｂからそれぞれ用紙を第１用紙搬送路へ導くための給紙ローラ９６Ａ、９６Ｂと、画像形成部６０へ用紙を搬送する際タイミングを調整するためのレジストローラ１０２と、記録紙表面に転写されたトナー像を定着させるための定着ユニット１０４と、後処理装置２８４内へ導入するための第１排紙ローラ１１０とを含む。
【００５７】
定着ユニット１０４は、トナー融解温度まで昇温された加熱ローラ１０６と、加熱ローラ１０６に所定のニップ圧で圧接する加圧ローラ１０８とを含む。トナー像が転写された記録紙は、定着ユニット１０４を通過する際に加熱及び加圧され、トナー像が表面に定着した状態で後処理装置２８４に排出される。
【００５８】
用紙搬送部６４は、手差しトレイ９２から第１用紙搬送路１００内の用紙搬送方向におけるレジストローラ１０２の上流側に連絡するための、第２用紙搬送路１１２を形成している。用紙搬送部６４はさらに、第１用紙搬送路１００の定着ユニット１０４と第１排紙ローラ１１０との間を、第１用紙搬送路１００の搬送方向におけるレジストローラ１０２の上流側に連絡するための第３用紙搬送路１１４を形成している。
【００５９】
用紙搬送部６４には、給紙装置５８から第１用紙搬送路１００に連絡するための第４用紙搬送路１１６が形成されている。給紙装置５６にある給紙カセット９０Ｃ、９０Ｄは給紙装置５６内部に設けられた第５用紙搬送路１１８を介して第１用紙搬送路１００に連絡される。
【００６０】
図５は、本実施の形態に係るデジタル複合機２２０の、後処理装置２８４の断面図である。
【００６１】
後処理装置２８４は、後処理として用紙をステープル留めするステープル処理、及び用紙にパンチ穴をあけるパンチ処理に対応可能である。
【００６２】
図５を参照して、後処理装置２８４は、後処理装置２８４内に用紙を導入するための入口ローラ１３０と、搬送されてきた用紙の位置を整えるための整合処理部１３４と、ステープル処理を行なうためのステープラ１３２と、後処理された印刷物を排出するための排紙ローラ１３６と、排出された印刷物が置かれる排紙トレイ１３８と、パンチ処理の際に用紙位置を決定するための用紙後端検知センサ１４０と、用紙位置決めされた印刷物にパンチ穴をあけるためのパンチピン１４２とを含む。
【００６３】
ステープル処理の場合、整合処理部１３４によって整合された用紙の束に対し、利用者によって指定された箇所にステープラ１３２を用いてステープル処理を行なう。ステープル処理された用紙束は排紙ローラ１３６によって排紙トレイ１３８上に排出される。
【００６４】
パンチ処理の場合、用紙後端検知センサ１４０で用紙のパンチ位置を決定後、用紙の後端にパンチ穴を空ける。パンチ処理後、用紙は整合処理部１３４へと搬送されて整合され、排紙ローラ１３６にて排紙トレイ１３８上に排出される。
【００６５】
図６は操作パネル２８０を表す図である。操作パネル２８０は、各種ハードウェアキーからなる操作部３００と、液晶ディスプレイ及びタッチパネルにより構成される表示部３０２とを含む。操作部３００は、数値入力のためのテンキー３０４と、入力した設定値をクリアするためのクリアキー３０６と、入力した各種設定を全解除するための全解除キー３０８と、コピー開始、及び送信開始等の指示を入力するスタートキー３１０と、プリンタモードに切替えるプリンタキー３１２と、イメージ送信モードに切替えるイメージモードキー３１４と、コピーモードに切替えるコピーモードキー３１６と、利用者による設定モードに切換えるユーザ設定キー３１８とを含む。
【００６６】
図７は、デジタル複合機２２０において、メイン制御部２５０によって実行され、原稿を読取、印刷するまでのプログラムの制御構造をフローチャート形式で表した図である。このプログラムは、スタートキー３１０が押された時に実行される。
【００６７】
図７を参照して、このプログラムは、お試しコピーモードが設定されたか否かを判定し、判定結果に応じて制御の流れを分岐させるステップＳ７０２と、ステップＳ７０２でお試しコピーモードが設定されていると判定された場合（ＹＥＳの場合）に実行され、読取部２６２で原稿読取を行ない、読取った原稿の枚数を変数ＭＡＸに設定するステップＳ７０４とを含む。「お試しコピーモード」とは、複数部数の印刷が設定されている時にプレビュー表示、又は１部のみの印刷を行ない、その出力結果をもとに仕上がり状態を確認して印刷の継続または中止を決定するものである。
【００６８】
このプログラムはさらに、ステップＳ７０４に続き、設定された印刷設定に基づきプレビュー用の画像形成を行なうステップＳ７０６と、ステップＳ７０６に続き、表示部３０２及び電子ペーパ２８６にプレビュー画像を表示するステップＳ７０８と、ステップＳ７０８に続き、再設定ボタン６２２が押されたか否かを判定し、判定結果に応じて制御の流れを分岐させるステップＳ７１０と、ステップＳ７１０で再設定ボタン６２２が押されていないと判定された場合（ＮＯの場合）に実行され、全解除キー３０８が押されたか否かを判定し、判定結果に応じて制御の流れを分岐させるステップＳ７１２と、ステップＳ７１２で全解除キー３０８が押されていないと判定された場合（ＮＯの場合）に実行され、コピー開始ボタン６３６が押されたか否かを判定し、判定結果に応じて制御の流れを分岐させるステップＳ７１４と、ステップＳ７１４でコピー開始ボタン６３６が押されたと判定された場合（ＹＥＳの場合）に実行され、設定された印刷設定に基づき印刷用の画像形成を行ない印刷及び後処理を行なうステップＳ７１６とを含む。ステップＳ７１４でコピー開始ボタン６３６が押されていないと判定された場合（ＮＯの場合）、制御はステップＳ７１０に進む。ステップＳ７１２で、全解除キー３０８が押されたと判定された場合（ＹＥＳの場合）、このプログラムは終了する。
【００６９】
このプログラムはさらに、ステップＳ７１０で、再設定ボタン６２２が押されたと判定された場合（ＹＥＳの場合）に実行され、印刷設定を再設定するステップＳ７１８と、ステップＳ７１８に続き、再プレビューボタン６４２が押されたか否かを判定し、判定結果に応じて制御の流れを分岐させるステップＳ７２０とを含む。ステップＳ７２０で再プレビューボタン６４２が押されたと判定された場合（ＹＥＳの場合）、制御はステップＳ７０６に進む。ステップＳ７２０で再プレビューボタン６４２が押されていないと判定された場合（ＮＯの場合）、制御はステップＳ７１８に進む。
【００７０】
このプログラムはさらに、ステップＳ７０２でお試しコピーが設定されていないと判定された場合（ＮＯの場合）に実行され、読取部２６２で原稿読取を行なうステップＳ７２２と、ステップＳ７２２に続き、設定された印刷設定に基づき印刷用の画像形成を行ない印刷及び後処理を行なうステップＳ７２４とを含む。ステップＳ７１６又はステップＳ７２４実行後、このプログラムは終了する。
【００７１】
図８は、デジタル複合機２２０において、メイン制御部２５０によって実行される、電子ペーパ２８６でプレビュー表示を行なう時のプログラムの制御構造をフローチャート形式で表した図である。このプログラムは、図７のステップＳ７０８で実行される。
【００７２】
なお、本実施の形態では、以下のプログラムにおいて、後述する表・裏表紙への両面印刷、及び合い紙への両面印刷については考慮しない。
【００７３】
図８を参照して、このプログラムは、表示するページを表す変数ｎに初期値１を設定するステップＳ８０２と、ステップＳ８０２に続き、デジタル複合機２２０で両面出力印刷が設定されているか否かを判定し、判定結果に応じて制御の流れを分岐させるステップＳ８０４と、ステップＳ８０４で両面出力印刷が設定されていると判定された場合（ＹＥＳの場合）に実行され、電子ペーパ２８６の表面にステップＳ７０６で形成されたプレビュー画像のｎページ目を表示するステップＳ８０６と、ステップＳ８０６に続き、ステップＳ７０４で設定した読取った原稿の数を表す変数ＭＡＸを用いて、変数ｎが（ｎ＋１＞ＭＡＸ）の式を満たすか否かを判定し、判定結果に応じて制御の流れを分岐させるステップＳ８０８と、ステップＳ８０８で式を満たさないと判定された場合（ＮＯの場合）に実行され、電子ペーパ２８６の裏面にプレビュー画像のｎ＋１ページ目を表示するステップＳ８１０と、ステップＳ８１０に続き、後述するページ送りボタン６３０が押されたか否かを判定し、判定結果に応じて制御の流れを分岐させるステップＳ８１４と、ステップＳ８１４でページ送りボタン６３０が押されていないと判定された場合（ＮＯの場合）に実行され、後述するページ戻りボタン６３１が押されたか否かを判定し、判定結果に応じて制御の流れを分岐させるステップＳ８１８と、ステップＳ８１８でページ戻りボタン６３１が押されていないと判定された場合（ＮＯの場合）に実行され、再設定ボタン６２２、全解除キー３０８、コピー開始ボタン６３６のいずれかが押されたか否かを判定し、判定結果に応じて制御の流れを分岐させるステップＳ８２０とを含む。ステップＳ８２０で、いずれも押されていないと判定された場合（ＮＯの場合）、制御はステップＳ８１４に戻る。
【００７４】
このプログラムはさらに、ステップＳ８０８で、式を満たすと判定された場合（ＹＥＳの場合）に実行され、電子ペーパ２８６の裏面に空白ページを表示させるステップＳ８１２を含む。ステップＳ８１２実行後、制御はステップＳ８１４に進む。
【００７５】
このプログラムはさらに、ステップＳ８１４でページ送りボタン６３０が押されたと判定された場合（ＹＥＳの場合）に実行され、変数ｎが（ｎ≦ＭＡＸ−２）の式を満たすか否かを判定し、判定結果に応じて制御の流れを分岐させるステップＳ８２２と、ステップＳ８２２で式を満たすと判定された場合（ＹＥＳの場合）に実行され、変数ｎにｎ＋２を代入するステップＳ８２４とを含む。ステップＳ８２４を実行後、制御はステップＳ８０６に進む。ステップＳ８２２で、式を満たさないと判定された場合（ＮＯの場合）、制御はステップＳ８０６に進む。
【００７６】
このプログラムはさらに、ステップＳ８１８でページ戻りボタン６３１が押されたと判定された場合（ＹＥＳの場合）に実行され、変数ｎが（ｎ≧３）の式を満たすか否かを判定し、判定結果に応じて制御の流れを分岐させるステップＳ８２６と、ステップＳ８２６で式を満たすと判定された場合（ＹＥＳの場合）に実行され、変数ｎにｎ−２を代入するステップＳ８２８とを含む。ステップＳ８２８実行後、制御はステップＳ８０６に進む。ステップＳ８２６で式を満たさないと判定された場合（ＮＯの場合）、制御はステップＳ８０６に進む。
【００７７】
このプログラムはさらに、ステップＳ８０４で、両面出力印刷が設定されていないと判定された場合（ＮＯの場合）に実行され、電子ペーパ２８６の表面にステップＳ７０６で形成されたプレビュー画像のｎページ目を表示するステップＳ８３０と、ステップＳ８３０に続き、ページ送りボタン６３０が押されたか否かを判定し、判定結果に応じて制御の流れを分岐させるステップＳ８３２と、ステップＳ８３２でページ送りボタン６３０が押されていないと判定された場合（ＮＯの場合）に実行され、ページ戻りボタン６３１が押されたか否かを判定し、判定結果に応じて制御の流れを分岐させるステップＳ８３４と、ステップＳ８３４でページ戻りボタン６３１が押されていないと判定された場合（ＮＯの場合）に実行され、再設定ボタン６２２、全解除キー３０８、コピー開始ボタン６３６のいずれかが押されたか否かを判定し、判定結果に応じて制御の流れを分岐させるステップＳ８３６とを含む。ステップＳ８３６で、いずれも押されていないと判定された場合（ＮＯの場合）、制御はステップＳ８３２に戻る。
【００７８】
このプログラムはさらに、ステップＳ８３２でページ送りボタン６３０が押されたと判定された場合（ＹＥＳの場合）に実行され、変数ｎが（ｎ＜ＭＡＸ）の式を満たすか否かを判定し、判定結果に応じて制御の流れを分岐させるステップＳ８３８と、ステップＳ８３８で式を満たすと判定された場合（ＹＥＳの場合）に実行され、変数ｎにｎ＋１を代入するステップＳ８４０とを含む。ステップＳ８４０実行後、制御はステップＳ８３０に進む。ステップＳ８３８で式を満たさないと判定された場合（ＮＯの場合）、制御はステップＳ８３０に進む。
【００７９】
このプログラムはさらに、ステップＳ８３４でページ戻りボタン６３１が押されたと判定された場合（ＹＥＳの場合）に実行され、変数ｎが（ｎ≧２）の式を満たすか否かを判定し、判定結果に応じて制御の流れを分岐させるステップＳ８４２と、ステップＳ８４２で式を満たすと判定された場合（ＹＥＳの場合）に実行され、変数ｎにｎ−１を代入するステップＳ８４４とを含む。ステップＳ８４４実行後、制御はステップＳ８３０に進む。ステップＳ８４２で式を満たさないと判定された場合（ＮＯの場合）、制御はステップＳ８３０に進む。
【００８０】
ステップＳ８２０で、再設定ボタン６２２、全解除キー３０８、コピー開始ボタン６３６のいずれかが押されたと判定された場合（ＹＥＳの場合）、又はステップＳ８３６で、再設定ボタン６２２、全解除キー３０８、コピー開始ボタン６３６のいずれかが押されたと判定された場合（ＹＥＳの場合）、このプログラムを終了する。このプログラムが終了後、制御は図７のステップＳ７１０に戻される。
【００８１】
図９〜図２０、及び図２２〜３８は、操作パネル２８０の表示部３０２で表示される画面表示を表す図である。以下、デジタル複合機２２０のコピーモードの各種設定について説明しながら構成を説明していく。
【００８２】
図９は、コピーモードキー３１６が押され、コピーモードが選択された時の初期画面３３０である。図９を参照して、初期画面３３０は、両面コピー設定モードへ推移するための両面コピーボタン３３４と、パンチ及びステープルなどの仕上げ設定モードへ推移するための仕上げボタン３３６と、コピー時の詳細設定を行う特別機能設定モードへ推移するための特別機能ボタン３３２と、用紙トレイの用紙サイズ及び用紙の紙種を設定する用紙設定モードへ推移するための用紙設定ボタン３４０と、スキャナによって読取られた画像、外部機器から入力された画像、及びハードディスクドライブなどの記憶装置に記憶された画像の仕上がり状態をプレビュー表示で確認するためのプレビュー確認ボタン３３８とを含む。初期画面３３０ではそのほか、コピー濃度、原稿読取倍率、及びカラーモードの設定状態などを確認することができる。
【００８３】
図１０は、初期画面３３０で両面コピーボタン３３４が押され、両面コピー設定モードに推移した時の表示、両面コピー設定画面３５０である。図１０を参照して、両面コピー設定画面３５０は、両面コピー設定ボタン３５２を含む。図１０に示す例では両面コピー設定画面３５０は、片面→片面コピーを選択している状態である。両面コピー設定モードでは片面→片面コピーの他に、片面→両面コピー、両面→両面コピー、及び両面→片面コピーが選択できる。図８のステップＳ８０４において、両面出力印刷が設定されていると判定される場合は、両面コピー設定モードにおいて、片面→両面コピー及び両面→両面コピーが設定されている時である。
【００８４】
図１１は、初期画面３３０で仕上げボタン３３６が押され、仕上げ設定モードに推移した時の表示、仕上げ設定画面３６０である。図１１を参照して、仕上げ設定画面３６０は、パンチ処理を設定するためのパンチ処理ボタン３６２と、ステープル処理を設定するためのステープルソートボタン３６４とを含む。
【００８５】
図１２は、仕上げ設定画面３６０でステープルソートボタン３６４が押された時の表示画面３７０である。表示画面３７０は、ステープルソートボタン３６４と、ステープル処理の原稿セットの方向を設定するためのステープル処理ボタン３７２とを含む。
【００８６】
図１３は、初期画面３３０で特別機能ボタン３３２を押した時の表示画面、特別機能設定画面３８０である。図１３を参照して、特別機能設定画面３８０は、表紙・合紙設定ボタン３８２と、特別機能設定の次のページのメニュー項目を表示するための次ページ表示ボタン３８４と、ＯＫボタン３８６とを含む。ＯＫボタン３８６を押すと、初期画面３３０に戻る。合紙とは、通常印刷をする紙の間に挟む別の用紙のことである。
【００８７】
図１４は、特別機能設定画面３８０で次ページ表示ボタン３８４が押された時の表示画面３９０である。図１４を参照して、表示画面３９０はお試しコピーモードを設定するためのお試しコピーボタン３９２と、印字メニュー設定モードに推移するための印字メニューボタン３９４と、特別機能設定の前ページのメニュー項目を表示するための前ページ表示ボタン３９６と、ＯＫボタン３９８とを含む。前ページ表示ボタン３９６を押すと、特別機能設定画面３８０に切換る。お試しコピーボタン３９２を押すと、お試しコピーの出力先が設定でき、表示部３０２及び電子ペーパ２８６へのプレビュー表示をするか、又は記録紙上に１部のみ印刷を行なうかのいずれかを設定できる（図示せず）。設定が確定され、ＯＫボタン３９８を押すと、初期画面３３０に戻る。
【００８８】
図１５は、表示画面３９０で印字メニューボタン３９４を押された時に表示される、印字メニュー設定画面４００である。印字メニュー設定画面では、日付、ページ数、スタンプ、及び任意の文字列を付加して印字する設定ができる。図１５を参照して、印字メニュー設定画面４００は、日付の印字を設定する日付ボタン４０２と、「重要」などの定型スタンプの印字を設定するスタンプボタン４０４と、記録紙のページ番号の印字を設定するページ番号ボタン４０６と、任意の文字列の印字を設定する文字ボタン４０８と、記録紙のどの位置に印字させるかを設定する印字位置ボタン４１０と、印字メニューの次ページのメニュー項目を表示する次ページ表示ボタン４１２とを含む。図１５に示す例では、印字メニュー設定画面４００では、どの位置にも情報が印字されない状態を示している。
【００８９】
図１６は、印字メニュー設定画面４００で次ページ表示ボタン４１２が押された時の表示画面４２０である。図１６を参照して、表示画面４２０は、原稿のセット方向を設定するための原稿セット方向ボタン４２２と、両面原稿の綴じ方向を設定する綴じ方向ボタン４２４と、合紙へのスタンプ印刷の有無を設定するスタンプ設定ボタン４２６と、印字メニューの前ページのメニュー項目を表示する前ページ表示ボタン４２８とを含む。前ページ表示ボタン４２８を押すと、印字メニュー設定画面４００に切換る。
【００９０】
図１７は、初期画面３３０で用紙設定ボタン３４０を押された時の用紙設定画面４４０である。図１７を参照して、用紙設定画面４４０は、給紙トレイ１の用紙設定を行なうための第１トレイ設定ボタン４４２と、給紙トレイ２の用紙設定を行なうための第２トレイ設定ボタン４４４と、給紙トレイ３の用紙設定を行なうための第３トレイ設定ボタン４４６と、給紙トレイ４の用紙設定を行なうための第４トレイ設定ボタン４４８と、大容量給紙トレイの用紙設定を行なうための第５トレイ設定ボタン４５４と、手差しトレイで使う用紙のサイズを設定するための手差しサイズ設定ボタン４５０と、手差しトレイで使う用紙の紙種を設定するための手差し用紙種設定ボタン４５２とを含む。図１７に示す例では、給紙トレイ１、２、及び大容量給紙トレイにはＡ４サイズ普通紙が、給紙トレイ３にはＢ４サイズ普通紙が、給紙トレイ４にはＡ３サイズ普通紙がそれぞれセットされている。手差しトレイにはＡ４サイズ普通紙がセットされている。
【００９１】
図１８は、各給紙トレイ及び手差しトレイの用紙の種類を設定する用紙設定画面４６０である。図１８を参照して、用紙設定画面４６０では、普通紙の他に再生紙、厚紙、光沢紙、ラベル紙、タブ紙などを設定できる。例えば、厚紙を設定すると、厚紙は普通紙と比べ定着ローラの熱が用紙に奪われやすいため、あらかじめ定着温度を高くし、用紙の搬送間隔を広げるなどして定着性を安定させる対応がなされる。
【００９２】
図１９は、手差しトレイの不定型な用紙サイズを設定する、不定型用紙設定画面４６２である。図１９を参照し、不定型用紙設定画面４６２では縦横方向に自由に用紙サイズを設定することができる。これによりサイズが特殊な用紙に対しても手差しトレイを使うときに、用紙サイズに合った印刷することができる。
【００９３】
図２０は、手差しトレイを用いて封筒印刷をする時のサイズを設定する、封筒サイズ設定画面４６４である。定型封筒のサイズをあらかじめ用意しておくことによって、簡単に手差しトレイのサイズが設定できる。
【００９４】
図２１は、合紙及び表・裏表紙について説明するための図である。本実施の形態に使われるデジタル複合機２２０は、合紙挿入機能、及び表表紙、裏表紙を挿入する機能を備えている。合紙挿入機能は、あらかじめ合紙を挿入するページを指定しておき、原稿印刷時に指定されたページの前になったらそれまで印刷していた給紙トレイから、合紙がセットされている給紙トレイに切換えて給紙して挟込む機能である。用紙を挟んだら再び元の給紙トレイに切換え、印刷を続ける。表表紙機能は、コピーの始めに指定した給紙トレイから用紙を給紙する機能である。裏表紙機能は、コピーの最後に指定した給紙トレイに切換え、用紙を給紙する機能である。
【００９５】
合紙及び表・裏表紙機能は、それぞれ用紙にコピーをするかしないかの設定ができ、原稿から該当するページの画像を指定した用紙に印刷することが可能である。合紙及び表紙用の紙には特殊紙を用いることが多く、給紙トレイ毎に用紙及び用紙種別を設定し、使い分けて印刷することが多い。
【００９６】
図２２は、表紙及び合紙の設定をするための初期画面、表紙合紙初期設定画面４８０である。この画面は特別機能設定画面３８０で表紙・合紙設定ボタン３８２を押すことで表示される。図２２を参照して、表紙合紙初期設定画面４８０は、表表紙、裏表紙、及び合紙Ａ、Ｂの給紙トレイ設定モードへ移行するための給紙トレイ設定ボタン４８２と、表表紙の設定モードへ移行するための表表紙設定ボタン４８４と、裏表紙の設定モードへ移行するための裏表紙設定ボタン４８６と、合紙Ａ及びＢの設定モードへそれぞれ移行するための合紙Ａ設定ボタン４８８と、合紙Ｂ設定ボタン４９０と、合紙挿入設定モードへ移行するための挿入設定ボタン４９２と、ページレイアウトを表示するためのページレイアウトボタン４９４と、表紙合紙設定を確定するためのＯＫボタン４９６と、表紙合紙設定モードから設定を保存せずに終了するためのキャンセルボタン４９８とを含む。キャンセルボタン４９８を押すと特別機能設定画面３８０に戻る。挿入設定ボタン４９２は、合紙設定がなされていない時は無効になる。ページレイアウトボタン４９４及びＯＫボタン４９６は、表紙設定又は合紙設定がなされていない時は無効になる。図２２の状態では表表紙、裏表紙、合紙Ａ及び合紙Ｂはいずれも設定されていない状態を示しており、挿入設定ボタン４９２、ページレイアウトボタン４９４、及びＯＫボタン４９６は無効になっている。
【００９７】
図２３は、表紙合紙初期設定画面４８０で給紙トレイ設定ボタン４８２を押した時に表示される、表紙合紙給紙トレイ設定画面５００である。表紙合紙給紙トレイ設定画面５００では表表紙、裏表紙、合紙Ａ及びＢに現在設定されている給紙カセットと用紙のサイズ、及び用紙の種類が確認可能である。図２３を参照して、表紙合紙給紙トレイ設定画面５００は、表表紙の給紙トレイ設定モードに移行するためのトレイ設定ボタン５０２と、裏表紙の給紙トレイ設定モードに移行するためのトレイ設定ボタン５０４と、合紙Ａの給紙トレイ設定モードに移行するためのトレイ設定ボタン５０６と、合紙Ｂの給紙トレイ設定モードに移行するためのトレイ設定ボタン５０８と、表紙及び合紙の給紙トレイ設定を確定するためのＯＫボタン５１０とを含む。図２３の状態では表表紙、裏表紙、合紙Ａ及びＢはいずれも手差しトレイでＡ４サイズ普通紙が設定されている状態を示している。
【００９８】
図２４は、表紙合紙給紙トレイ設定画面５００でトレイ設定ボタン５０２を押した時の表表紙給紙トレイ設定画面５２０である。図２４を参照して、表表紙給紙トレイ設定画面５２０は、給紙トレイ１〜５をそれぞれ選択するための、トレイ選択ボタン５２４、５２６、５２８、５３０、及び５３２と、手差しトレイを選択するためのトレイ選択ボタン５３４と、給紙トレイ選択を確定するためのＯＫボタン５２２とを含む。表表紙用の給紙トレイを選択した後ＯＫボタン５２２を押すことで設定が確定され、表紙合紙給紙トレイ設定画面５００の表示に設定が反映される。
【００９９】
図２５は、表紙合紙初期設定画面４８０で表表紙設定ボタン４８４を押した時に表示される、表表紙設定画面５４０である。図２５を参照して、表表紙設定画面５４０は、表表紙の給紙トレイ設定モードへ移行するためのトレイ選択ボタン５４２と、表表紙へのコピーを行なうか否かを設定するためのコピー設定ボタン５４４と、表表紙にコピーを行なう際に片面コピーか両面コピーかを選択するためのコピー面選択ボタン５４６と、各種設定を確定するためのＯＫボタン５４８と、設定を確定せずに前画面に戻るためのキャンセルボタン５５０とを含む。表表紙設定画面５４０でトレイ選択ボタン５４２を押すと表表紙給紙トレイ設定画面５２０が表示され、給紙トレイが選択できる。コピー設定ボタン５４４はタッチパネル上で表表紙にコピーをする、しないを選択する。しないを選択した場合、コピー面選択ボタン５４６の操作は無効になる。図２５は、表表紙の給紙トレイは手差しトレイで、表表紙へのコピーは行なわないことを表している。
【０１００】
図２６は、表表紙設定画面５４０である。図２６では表表紙の給紙トレイは手差しトレイで、表表紙に片面コピーを行なうことを示している。
【０１０１】
図２７は、表紙合紙初期設定画面４８０であり、表表紙設定ボタン４８４と裏表紙設定ボタン４８６との表示が白黒反転されていることから、表表紙設定と裏表紙設定とがなされたことを表している。また、表表紙及び裏表紙の設定がなされたことから、ページレイアウトボタン４９４及びＯＫボタン４９６が表示され、操作が有効になっていることを示している。
【０１０２】
図２８は、表紙合紙初期設定画面４８０で、合紙Ａ設定ボタン４８８を押した時に表示される、合紙Ａ設定画面５６０である。図２８を参照して、合紙Ａ設定画面５６０は、合紙Ａの給紙トレイ設定モードへ移行するためのトレイ選択ボタン５６２と、合紙Ａへコピーを行なうか否かを設定するためのコピー選択ボタン５６４と、合紙Ａにコピーを行なう際に片面コピーか両面コピーかを選択するためのコピー面選択ボタン５６６と、各種設定を確定するためのＯＫボタン５６８と、設定を確定せずに前画面に戻るためのキャンセルボタン５７０とを含む。コピー選択ボタン５６４はタッチパネル上で合紙Ａにコピーをする、しないを選択する。しないを選択した場合、コピー面選択ボタン５６６は無効になる。図２８は、合紙Ａの給紙トレイは手差しトレイで、合紙Ａへのコピーは行なわないことを表している。
【０１０３】
図２９は、合紙Ａ設定画面５６０である。図２９に示す例では合紙Ａの給紙トレイは手差しトレイで、合紙Ａに片面コピーを行なうことを示している。
【０１０４】
図３０は、表紙合紙初期設定画面４８０であり、表表紙設定ボタン４８４、裏表紙設定ボタン４８６、合紙Ａ設定ボタン４８８、及び合紙Ｂ設定ボタン４９０の表示が白黒反転されていることから、表表紙、裏表紙、合紙Ａ、及び合紙Ｂの設定がなされたことを表している。このとき、挿入設定ボタン４９２、ページレイアウトボタン４９４、及びＯＫボタン４９６が表示され、操作が有効になっていることを示している。
【０１０５】
図３１は、図３０の状態で挿入設定ボタン４９２を押した時に移行する合紙挿入設定モードを表す合紙挿入設定画面５８０である。図３１を参照して、合紙挿入設定画面５８０は、合紙Ａを選択し挿入設定するための合紙Ａボタン５８２と、合紙Ｂを選択し挿入設定するための合紙Ｂボタン５８４と、合紙を挿入するページを入力する挿入ページ入力ボックス５８６と、入力された挿入ページを確定するための確定ボタン５８８と、挿入設定を確定し終了するためのＯＫボタン５９０とを含む。また、挿入ページ入力ボックス５８６への入力は、操作パネル２８０のテンキー３０４を用いて入力され、間違って入力した場合にはクリアキー３０６で入力をクリアする。
【０１０６】
図３２は、合紙挿入設定画面５８０で合紙Ａが選択され１０ページ目に挿入することを表す画面である。挿入ページが入力されたことにより確定ボタン５８８が有効になり、確定ボタン５８８が押されることで合紙Ａの挿入設定は確定する。合紙挿入設定は連続して行なうことができ、すべての挿入設定が終了した後にＯＫボタン５９０を押し、合紙挿入設定を確定終了する。
【０１０７】
図３３及び図３４は、表紙合紙初期設定画面４８０でページレイアウトボタン４９４を押した時に表示されるページレイアウト表示画面６００及び６１０である。図３３を参照してページレイアウト表示画面６００は、次ページに続くページレイアウトを表示するためのスクロールボタン６０２と、ページレイアウト画面を終了するためのＯＫボタン６０４とを含む。図３４を参照して、ページレイアウト表示画面６１０は、前ページのページレイアウトを表示するためのスクロールボタン６１２と、ページレイアウト画面を終了するためのＯＫボタン６１４とを含む。ページレイアウト表示画面６００でスクロールボタン６０２を押すとページレイアウト表示画面６１０が表示され、ページレイアウト表示画面６１０でスクロールボタン６１２を押すとページレイアウト表示画面６００が表示される。ＯＫボタン６０４及び６１４が押されたとき、表紙合紙初期設定画面４８０が表示される。
【０１０８】
図３５は、特別機能設定画面３８０で、利用者がお試しコピーボタン３９２を押した後に、スタートキー３１０を押して原稿読取を開始し、読取終了後に表示されるプレビュー表示画面６２０である。図３５を参照して、プレビュー表示画面６２０は、読取った原稿を表示する読取原稿プレビュー表示６２８と、印刷設定を再設定するための再設定ボタン６２２と、ステープル処理及びパンチ処理など設定された仕上げ処理の結果を表示するための仕上がり表示ボタン６２４と、印刷余白などの設定確認をするための設定確認ボタン６２６と、読取原稿が複数ページある時に表示しているページを次のページに送るためのページ送りボタン６３０と、前のページに戻るためのページ戻りボタン６３１と、読取原稿プレビュー表示６２８を拡大縮小表示するための拡大縮小ボタン６３２と、読取原稿プレビュー表示６２８を回転表示するための回転表示ボタン６３４と、プレビュー表示画面で問題がないと確認したら印刷を開始するためのコピー開始ボタン６３６とを含む。プレビュー表示画面６２０は、お試しコピーボタンが押された後に読込んだ読取原稿に対してプレビュー表示が可能で、拡大・縮小、ページ送りを行なうことで読取ったすべてのページが確認可能である。読取原稿を確認した後は、コピー開始ボタン６３６を押すことで入力された部数の印刷が開始される。
【０１０９】
図３６は、プレビュー表示画面６２０で再設定ボタン６２２が押された時に表示される再設定画面６４０である。図３６を参照して、再設定画面６４０は、特別機能設定画面３８０を開くための特別機能ボタン６４６と、両面コピー設定画面３５０を開くための両面コピーボタン６４８と、仕上げ設定画面３６０を開くための仕上げボタン６５０と、再設定画面６４０から特別機能ボタン６４６、両面コピーボタン６４８、及び仕上げボタン６５０を押して各種設定変更を行ない、それら変更を反映させてプレビュー表示画面６２０に表示させるための再プレビューボタン６４２と、再設定画面６４０から行なった各種設定の変更内容を破棄してプレビュー表示画面６２０を表示させるためのキャンセルボタン６４４とを含む。再設定画面６４０から各種設定を変更し、再プレビューボタン６４２を押し、プレビュー表示画面６２０に表示されるプレビューで変更内容を確認したら、コピー開始ボタン６３６を押すことで変更を反映した印刷が開始される。
【０１１０】
図３７は、プレビュー表示画面６２０で設定確認ボタン６２６が押された時に表示される設定確認画面６６０である。図３７を参照して、設定確認画面６６０は、内容を確認しプレビュー表示画面６２０を表示させるためのＯＫボタン６６２と、設定変更のため再設定画面６４０を開くための再設定ボタン６６４とを含む。設定確認画面６６０では、とじ方向、余白幅、片面／両面印刷設定のほか各種印刷設定が確認できる。設定確認画面６６０で、所望の設定が抜けていた場合には再設定ボタン６６４を押すことで再設定画面６４０に移行し各種設定を行なうことができる。
【０１１１】
図３８は、プレビュー表示画面６２０で仕上がり表示ボタン６２４が押された時に表示される仕上がり表示画面６８０である。図３８を参照して、仕上がり表示画面６８０は、プレビュー表示画面６２０と同じであり、読取った原稿を表示する読取原稿プレビュー表示６２８の代わりにあらかじめ設定されたステープルなどの仕上がり処理がなされた後の仕上がり原稿プレビュー６８２が表示される。図３８の場合、仕上がり処理としてステープル処理とパンチング処理とがなされており、それらの処理がなされる場所には黒いマークが読取イメージ上に重畳されて表示される。表示される仕上がり原稿プレビュー６８２を確認して、問題がなければコピー開始ボタン６３６を押すことで印刷が開始され、仕上がり処理がされた印刷物が出来上がる。
【０１１２】
図３９は、表示部３０２におけるプレビュー画像表示７００と電子ペーパ２８６におけるプレビュー画像表示７１０についての対応を示す図である。図３９を参照し、プレビュー画像表示７００は、ｎページ目のプレビュー画像を表示するプレビュー表示７０２と、ｎ＋１ページ目のプレビュー画像を表示するプレビュー表示７０４とを含む。プレビュー画像表示７１０は、電子ペーパ２８６の表面に表示されるｎページ目のプレビュー画像を表示するプレビュー表示７１２と、電子ペーパ２８６の裏面に表示されるｎ＋１ページ目のプレビュー画像を表示するプレビュー表示７１４とを含む。図３９は、表示部３０２に表示されるプレビュー表示７０２は電子ペーパ２８６の表面に表示されることを示している。また、プレビュー表示７０４は、裏面にプレビュー表示７１４として表示されることを示している。
【０１１３】
図４０は、後処理が設定された時の電子ペーパ２８６のプレビュー表示７２０を示す図である。図４０では後処理として、ステープル処理及びパンチング処理が設定されている。図４０を参照してプレビュー表示７２０は、ステープル処理位置を示すステープル画像７２２と、パンチング処理の位置を示すパンチング画像７２４とを含む。プレビュー表示７２０において、パンチング画像７２４は左側に位置しているが、裏面を表示したときには右側に位置する。ステープル画像７２２も同様である。
【０１１４】
―動作―
本実施の形態に係るデジタル複合機２２０は、コピーモードでは以下のように動作する。
【０１１５】
利用者がデジタル複合機２２０の電源を入れると、表示部３０２には初期画面３３０が表示される。利用者は用紙設定ボタン３４０を押して、各給紙トレイに入っている用紙のサイズと紙種をあらかじめ設定しておく。特殊用紙を使用する際も同様に、各給紙トレイに用紙サイズを設定し、それぞれの用紙に合った用紙種類をあらかじめ設定する。
【０１１６】
デジタル複合機２２０は両面コピーが可能である。初期画面３３０から両面コピーボタン３３４を押し、所望の両面・片面コピー設定を行なう。
【０１１７】
デジタル複合機２２０は、後処理装置２８４を用いてステープル処理及びパンチ処理を行なうことができる。これら仕上げ処理は、初期画面３３０から仕上げボタン３３６を押し、仕上げ設定画面にて行なう処理を設定する。ステープル処理の場合はステープル方向も設定する。
【０１１８】
表表紙、裏表紙、及び合紙の設定は、初期画面３３０で特別機能ボタン３３２を押し、特別機能設定画面３８０で表紙・合紙設定ボタン３８２を押す。表紙合紙初期設定画面４８０が表示されるので、表表紙及び裏表紙の場合は利用する給紙トレイを選択し、表紙に印刷を行なうか否かを設定する。合紙の設定は合紙用の給紙トレイを選択し、合紙に印刷を行なうか否かの設定を行なう。また、合紙の設定の場合は挿入するページをテンキー３０４で入力し、確定ボタン５８８を押し設定する。表紙及び合紙の配置設定が終わったら、ページレイアウト表示画面で確認ができる。このとき設定に間違いがあれば修正することも可能である。
【０１１９】
このほかデジタル複合機２２０はカラーモード設定（カラー・白黒印刷）、コピー濃度設定、拡大縮小印刷設定などが可能である。
【０１２０】
また、本実施の形態に係るデジタル複合機２２０は、表示手段として電子ペーパ２８６を含んでいる。電子ペーパ２８６はデジタル複合機２２０におけるプレビュー画像を表示するためのもので、表裏の両面にプレビュー画像を表示することが可能である。電子ペーパ２８６でプレビュー画像が表示される時は、デジタル複合機２２０でお試しコピーモードが設定されている時である。このとき、表示部３０２と電子ペーパ２８６との両方にプレビュー画像が表示される。
【０１２１】
本実施の形態に係るデジタル複合機２２０は、お試しコピーモードでは以下のように動作する。
【０１２２】
利用者は初期画面３３０で特別機能ボタン３３２を押すと、特別機能設定画面３８０が表示される。そこで次ページ表示ボタン３８４を押すと表示画面３９０が表示され、お試しコピーボタン３９２を押し、ＯＫボタン３９８を押す。これでお試しコピーモードに設定され、画面は初期画面３３０に戻る。
【０１２３】
スタートキー３１０を押すと、メイン制御部２５０でプログラムが起動される。
【０１２４】
プログラムは、お試しコピーモードに設定されているか否かを判定する。
【０１２５】
お試しコピーモードに設定されていない場合、読取部２６２で原稿を読取り、設定された印刷設定に基づいて画像形成され、印刷及び仕上げ処理が実行される（ステップＳ７２２、７２４）。
【０１２６】
お試しコピーモードに設定されている場合、読取部２６２で原稿を読取り、読取った原稿の枚数を変数ＭＡＸに設定する（ステップＳ７０４）。読取ったデータを設定された印刷設定に基づいて表示部プレビュー確認用の画像を形成し（ステップＳ７０６）、表示部３０２及び電子ペーパ２８６でプレビュー表示を行なう（ステップＳ７０８）。
【０１２７】
表示部３０２におけるプレビュー表示画面６２０は、拡大縮小ボタン６３２の操作により読取原稿プレビュー表示６２８の拡大縮小表示が可能で、ページ送りボタン６３０及びページ戻りボタン６３１を操作することによって複数枚にわたる原稿の確認も可能である。仕上り処理が設定されている場合には、仕上り表示ボタン６２４を押すことで、図３８に示すように仕上り処理のされる場所が原稿イメージに重畳して表示され、原稿部分に仕上り処理が影響しないかを確認することができる。また、表・裏表紙及び合紙の挿入設定の確認もこのプレビュー画面から可能である。
【０１２８】
電子ペーパ２８６によるプレビュー表示では、デジタル複合機２２０は以下のように動作する。
【０１２９】
ページ番号を表す変数ｎに初期値１を設定し（ステップＳ８０２）、印刷設定で両面出力印刷が設定されているかを判定する（ステップＳ８０４）。両面出力印刷が設定されていない場合は、電子ペーパ２８６の表面のみを使用し、ステップＳ７０６で形成されたプレビュー画像のｎページ目を電子ペーパ２８６に表示する（ステップＳ８３０）。電子ペーパ２８６のプレビュー表示のページ送り及びページ戻しは、表示部３０２のページ送りボタン６３０及びページ戻しボタン６３１を用いる。プレビュー画像は、ページ送りボタン６３０を押すと１ページ進み（ステップＳ８３８、Ｓ８４０）、ページ戻しボタン６３１が押されると、１ページ戻る（ステップＳ８４２、Ｓ８４４）。両面出力印刷が設定されている場合は、電子ペーパ２８６の表面と裏面との両面を使用してプレビュー画像を表示する。電子ペーパ２８６の表面にはＳ７０６で形成されたプレビュー画像のｎページ目を表示する（ステップＳ８０６）。表面が読取原稿の最終面ではない場合は、裏面にｎ＋１ページ目のプレビュー画像を表示する（ステップＳ８１０）。最終面の場合は裏面には白面を表示する（ステップＳ８１２）。両面表示の場合、表面のプレビュー画像は、ページ送りボタン６３０を押すと２ページ進み（ステップＳ８２２、Ｓ８２４）、ページ戻しボタン６３１が押されると、２ページ戻る（ステップＳ８２６、Ｓ８２８）。また、電子ペーパ２８６におけるプレビュー表示でも表示の拡大縮小が可能で、表示部３０２の操作を受けプレビュー画像が変化する。また、仕上り処理が設定されている場合には、表示部３０２の仕上り表示ボタン６２４を押すことで、図４０に示すように仕上り処理のされる場所が原稿イメージに重畳して表示される。プレビューの両面表示を行なっている場合には、仕上り処理の場所が裏面にも反映されて表示される。
【０１３０】
電子ペーパ又はプレビュー画面で原稿を確認し、設定間違いに気付いた場合は再設定ボタン６２２を押すことで印刷設定を再設定することができる。設定変更後は再プレビューボタン６４２を押すことで変更した設定に基づいてプレビュー画像が形成され、設定変更後のプレビュー表示がされる。（ステップＳ７１８、７２０）
【０１３１】
すべてのページのプレビュー表示を確認し問題がないと判断したら、コピー開始ボタン６３６を押すことで、設定された印刷設定に基づいて画像形成され、印刷及び仕上げ処理が実行される。（ステップＳ７１４、７１６）
【０１３２】
また、プレビュー表示を見て所望する印刷物と異なると判断した場合には、全解除キー３０８を押すことで印刷自体を中止することができる。（ステップＳ７１２）
【０１３３】
以上のようにお試しコピーモードが設定された時には、表示部３０２及び電子ペーパ２８６にプレビュー画面が表示され、プレビュー表示画面には、上記したステープルなどの仕上り処理の処理結果を反映したプレビューが表示される。その結果、両面印刷などの細かい印刷設定も、プレビュー表示で確認し、印刷することができる。また、プレビュー表示で設定の間違いに気付いた場合でも、再設定モードを用いることで設定変更を行なうことができる。設定変更後にも再度プレビュー表示を行なうことで設定変更が反映されたかを確認することができる。この再設定により、利用者にとって原稿を再度読取りなおすという手間を省くことができる。
【０１３４】
また、本実施の形態に係るデジタル複合機２２０は、ＵＳＢインターフェイス２７８及びＬＡＮ制御部２７０を備えていることから、読取部２６２に代わって着脱可能な記憶装置、及び通信回線を用いて画像データを取り込み、画像形成処理を行なうことも可能である。
【０１３５】
また、電子ペーパを表示手段とすることによって、一般的な印刷用紙サイズと同じＡ４サイズを用いることができる。この場合、印刷対象がＡ４サイズ及びＡ４より小さいサイズの場合には、等倍でプレビュー表示が可能となり、実際の記録紙と近い感覚で画像データの確認が可能となる。Ａ４サイズより大きな画像の場合にはＡ４サイズに収まるように縮小表示することによって、あらゆるサイズのプレビュー画像を表示確認することが可能となる。
【０１３６】
さらに、電子ペーパは、通電をして画像表示を行なった後に、通電を遮断しても表示内容を保持することができる特徴がある。この特徴を生かして、利用者は電子ペーパをデジタル複合機から外し、直接手にとって最終の仕上がり具合を確認することができる。この結果、利用者の視認性が向上する。
【０１３７】
以上のように本実施の形態に係るデジタル複合機２２０では、プレビューの表示手段として電子ペーパを用いることで、複雑な印刷設定においても読取結果を印刷前にプレビューで確認ができる。特に両面印刷など、複雑な印刷設定のときには表面、裏面それぞれに対応したプレビュー表示が行なえることで、利用者によるプレビューの確認精度を上げることができる。その結果、印刷設定の確認を行なうためのプレビュー画像が利用者にとって確認しやすい画像形成装置を提供することができる。
【０１３８】
本実施の形態では、電子ペーパを用いて両面印刷のプレビュー表示に関する説明を行なったが、有機ＥＬなどを用いても同様の効果が得られる。
【０１３９】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１４０】
【図１】本実施の形態に係るデジタル複合機２２０を用いて構築される、画像処理システム２１０の全体構成を示す模式図である。
【図２】デジタル複合機２２０の内部構成を表すブロック図である。
【図３】デジタル複合機２２０の上部に設置される読取部２６２の斜視図である。
【図４】本実施の形態に係るデジタル複合機２２０の、記録部２６４と後処理装置２８４とで構成される画像形成装置５０の構造を示す断面図である。
【図５】デジタル複合機２２０の、後処理装置２８４の断面図である。
【図６】操作パネル２８０を表す図である。
【図７】デジタル複合機２２０において、メイン制御部２５０によって実行される、原稿を読取、印刷するまでのプログラムの制御構造をフローチャート形式で表した図である。
【図８】デジタル複合機２２０において、メイン制御部２５０によって実行される、電子ペーパ２８６でプレビュー表示を行なう時のプログラムの制御構造をフローチャート形式で表した図である。
【図９】コピーモードが選択された時の初期画面３３０を示す図である。
【図１０】両面コピー設定モードに推移した時の表示、両面コピー設定画面３５０を示す図である。
【図１１】後処理設定モードに推移した時の表示、仕上げ設定画面３６０を示す図である。
【図１２】仕上げ設定画面３６０でステープルソートボタン３６４が押された時の表示画面３７０を示す図である。
【図１３】初期画面３３０で特別機能ボタン３３２が押された時の表示画面、特別機能設定画面３８０を示す図である。
【図１４】特別機能設定画面３８０で次ページ表示ボタン３８４が押された時の表示画面３９０を示す図である。
【図１５】表示画面３９０で印字メニューボタン３９４が押された時に表示される、印字メニュー設定画面４００を示す図である。
【図１６】印字メニュー設定画面４００で次ページ表示ボタン４１２が押された時の表示画面４２０である。
【図１７】初期画面３３０で用紙設定ボタン３４０を押された時の用紙設定画面４４０を示す図である。
【図１８】各給紙トレイ及び手差しトレイの用紙の種類を設定する用紙設定画面４６０を示す図である。
【図１９】手差しトレイの不定型な用紙サイズを設定する、不定型用紙設定画面４６２を示す図である。
【図２０】手差しトレイを用いて封筒印刷をする時のサイズを設定する、封筒サイズ設定画面４６４を示す図である。
【図２１】合紙及び表・裏表紙について説明するための図である。
【図２２】表紙及び合紙の設定をするための初期画面、表紙合紙初期設定画面４８０を示す図である。
【図２３】表紙合紙初期設定画面４８０で給紙トレイ設定ボタン４８２が押された時に表示される、表紙合紙給紙トレイ設定画面５００を示す図である。
【図２４】表紙合紙給紙トレイ設定画面５００でトレイ設定ボタン５０２が押された時の表表紙給紙トレイ設定画面５２０を示す図である。
【図２５】表紙合紙初期設定画面４８０で表表紙設定ボタン４８４が押された時に表示される、表表紙設定画面５４０を示す図である。
【図２６】表表紙へのコピーをすると設定された、表表紙設定画面５４０を示す図である。
【図２７】表表紙設定と裏表紙設定とがなされたことを表している表紙合紙初期設定画面４８０を示す図である。
【図２８】表紙合紙初期設定画面４８０で、合紙Ａ設定ボタン４８８が押された時に表示される、合紙Ａ設定画面５６０を示す図である。
【図２９】合紙Ａの給紙トレイは手差しトレイで、合紙Ａに片面コピーを行なうことを示す合紙Ａ設定画面５６０を示す図である。
【図３０】表表紙、裏表紙、合紙Ａ、及び合紙Ｂの設定がなされたことを表している表紙合紙初期設定画面４８０を示す図である。
【図３１】合紙挿入設定画面５８０を示す図である。
【図３２】合紙挿入設定画面５８０で合紙Ａが選択され１０ページ目に挿入することを表す画面を示す図である。
【図３３】ページレイアウト表示画面６００を示す図である。
【図３４】ページレイアウト表示画面６１０を示す図である。
【図３５】お試しコピーボタン３９２が押された後に、スタートキー３１０が押して原稿読取を開始し、読取終了後に表示部３０２に表示されるプレビュー表示画面６２０を示す図である。
【図３６】プレビュー表示画面６２０で再設定ボタン６２２が押された時に表示される再設定画面６４０を示す図である。
【図３７】プレビュー表示画面６２０で設定確認ボタン６２６が押された時に表示される設定確認画面６６０を示す図である。
【図３８】プレビュー表示画面６２０で仕上がり表示ボタン６２４が押された時に表示される仕上がり表示画面６８０を示す図である。
【図３９】表示部３０２におけるプレビュー画像表示７００と電子ペーパ２８６におけるプレビュー画像表示７１０についての対応を示す図である。
【図４０】後処理が設定された時の電子ペーパ２８６のプレビュー表示７２０を示す図である。
【符号の説明】
【０１４１】
５０  画像形成装置
５６、５８  給紙装置
２８４  後処理装置
２２０  デジタル複合機
２５０  メイン制御部
２６４  記録部
２８４  後処理装置
２８６  電子ペーパ
３００  操作部
３０２  表示部
３０４  テンキー
３０６  クリアキー
３１０  スタートキー
３６０  仕上げ設定画面
３９２  お試しコピーボタン
４８０  表紙合紙初期設定画面
６００、６１０  ページレイアウト表示画面
６２０  プレビュー表示画面
６２２  再設定ボタン
６３０  ページ送りボタン
６３１  ページ戻りボタン
６４２  再プレビューボタン
６８０  仕上がり表示画面
【図１】
2010074251.tif 000003
【図２】
2010074251.tif 000004
【図３】
2010074251.tif 000005
【図４】
2010074251.tif 000006
【図５】
2010074251.tif 000007
【図６】
2010074251.tif 000008
【図７】
2010074251.tif 000009
【図８】
2010074251.tif 000010
【図９】
2010074251.tif 000011
【図１０】
2010074251.tif 000012
【図１１】
2010074251.tif 000013
【図１２】
2010074251.tif 000014
【図１３】
2010074251.tif 000015
【図１４】
2010074251.tif 000016
【図１５】
2010074251.tif 000017
【図１６】
2010074251.tif 000018
【図１７】
2010074251.tif 000019
【図１８】
2010074251.tif 000020
【図１９】
2010074251.tif 000021
【図２０】
2010074251.tif 000022
【図２１】
2010074251.tif 000023
【図２２】
2010074251.tif 000024
【図２３】
2010074251.tif 000025
【図２４】
2010074251.tif 000026
【図２５】
2010074251.tif 000027
【図２６】
2010074251.tif 000028
【図２７】
2010074251.tif 000029
【図２８】
2010074251.tif 000030
【図２９】
2010074251.tif 000031
【図３０】
2010074251.tif 000032
【図３１】
2010074251.tif 000033
【図３２】
2010074251.tif 000034
【図３３】
2010074251.tif 000035
【図３４】
2010074251.tif 000036
【図３５】
2010074251.tif 000037
【図３６】
2010074251.tif 000038
【図３７】
2010074251.tif 000039
【図３８】
2010074251.tif 000040
【図３９】
2010074251.tif 000041
【図４０】
2010074251.tif 000042